(57)【要約】      （修正有）【課題】誤動作防止の絞出式氷製品格納カップを提供する。【解決手段】互いに結合される上カップ体１１０、結合部１２０及び下カップ体１３０を含むカップ体１００と、底面に貼り設けられ、絞出口を覆う密封フィルム２００と、を備え、上カップ体１１０が、互いに結合される上環形カップ壁１１１と、少なくとも１つの凸体１１４が設けられる上面取り弧面１１２と、頂面１１３とを有し、下カップ体１３０が、互いに結合される下環形カップ壁１３１と、下面取り弧面１３２と、絞出口１３４が開設される底面１３３とを有し、カップ体１００の内部が、絞出口１３４と繋がっている格納空間を有する誤動作防止の絞出式氷製品格納カップである。凸体１１４の設置によって、押出し操作の時に、カップ体１００の上、下方向の配置を間違えるという誤動作を防止することができる。【選択図】図２
0003188860.tif 000002
【実用新案登録請求の範囲】
【請求項１】
互いに結合される上カップ体、結合部及び下カップ体を含むカップ体と、
底面に貼り付けられ、前記絞出口を覆う密封フィルムと、を備え、
前記上カップ体が、その外径が下カップ体の内径よりも小さく、互いに結合される上環形カップ壁と、少なくとも１つの凸体が設けられる上面取り弧面と、頂面とを有し、前記下カップ体が、互いに結合される下環形カップ壁と、下面取り弧面と、絞出口が開設される前記底面とを有し、前記カップ体の内部が、前記絞出口とつながっている格納空間を有することを特徴とする誤動作防止のための絞出式氷製品格納カップ。
【請求項２】
前記密封フィルムは、フィルム本体と、前記フィルム本体の中央部に位置し、前記絞出口を覆う圧力式開口ユニットと、を有することを特徴とする請求項１に記載の誤動作防止のための絞出式氷製品格納カップ。
【請求項３】
前記圧力式開口ユニットは、環状に排列する複数の扇形シートを有し、前記複数の扇形シートのそれぞれは、互いに結合される１つの円弧辺と２つの側辺を有し、前記円弧辺における接続部と断裂可能な線分で前記フィルム本体に接続され、且つ前記２つの側辺が、側辺における断裂可能な線分で隣接の扇形シートの側辺に接続されることを特徴とする請求項２に記載の誤動作防止のための絞出式氷製品格納カップ。
【請求項４】
前記上カップ体の頂面には、引き上げシートが凸設されることを特徴とする請求項１に記載の誤動作防止のための絞出式氷製品格納カップ。
【考案の詳細な説明】
【技術分野】
【０００１】
本考案は、格納カップに関し、特にその内部に氷製品が入れられ、誤動作により絞り出されることを防止できる氷製品格納カップに関する。
【背景技術】
【０００２】
アイスクリーム容器構造が開示された台湾特許証書第Ｍ２７２７７６号案を参照する。そのアイスクリーム容器構造は、主にアイスクリームマシン本体によって、その内部から絞り出されたアイスクリームを形作るため、アイスクリームの切り口造形を変えたい場合、アイスクリームマシン本体の部材の一部を外さなければならなくて、使用上は非常に面倒である。
【０００３】
更に、ソフトアイスクリームの販売機向けの格納カップの円筒構造が開示された台湾特許証書第Ｍ２４１３９０号案を参照する。この格納カップの円筒構造は、自身の部材を直接に利用して、絞り出されたアイスクリームを形作ることができるが、その部材が非常に多く、構成が複雑であり、設計柔軟性が悪く、且つアイスクリームが絞り出された後でカップの円筒体積が対応的に縮小できなく、占める空間が非常に多い。
【考案の概要】
【考案が解決しようとする課題】
【０００４】
本考案の目的の１つは、構成が簡単であり、自身の部材を利用して形作ることができ、絞り出された後で体積が大幅に縮小でき、且つ絞り出す時の誤動作を防止することができる誤動作防止のための絞出式氷製品格納カップを提供することにある。
【課題を解決するための手段】
【０００５】
上記の目的によると、本考案の一態様は、互いに結合される上カップ体、結合部及び下カップ体を含むカップ体と、底面に貼り付けられ、絞出口を覆う密封フィルムと、を備え、上カップ体が、その外径が下カップ体の内径よりも小さく、互いに結合される上環形カップ壁と、少なくとも１つの凸体が設けられる上面取り弧面と、頂面とを有し、下カップ体が、互いに結合される下環形カップ壁と、下面取り弧面と、絞出口が開設される底面とを有し、カップ体の内部が、絞出口と繋がっている格納空間を有する誤動作防止のための絞出式氷製品格納カップを提供する。氷製品格納カップを押出機に配置して押出し操作を行う時に、凸体の設置によって、カップ体の上、下方向の配置を間違えるという誤動作を防止することができる。
【０００６】
本考案の一実施例によると、密封フィルムは、フィルム本体と、フィルム本体の中央部に位置し、絞出口を覆う圧力式開口ユニットと、を有する。
【０００７】
本考案の一実施例によると、圧力式開口ユニットは、環状に排列する複数の扇形シートを有し、複数の扇形シートのそれぞれは、互いに結合される１つの円弧辺と２つの側辺を有し、円弧辺における接続部と断裂可能な線分でフィルム本体に接続され、且つ２つの側辺における断裂可能な線分で隣接の扇形シートの側辺に接続される。これにより、カップ体の押出し操作が行われる初期に、その押出力が、先に円弧辺における断裂可能な線分及び側辺における断裂可能な線分を断裂させて、それぞれの扇形シートに接続部を軸部として外に開く状態を呈させることになって、カップ体の絞出口が現れて、爆発的に絞り出す現象を避ける。
【０００８】
本考案の一実施例によると、上カップ体の頂面には、押しつぶされる氷製品格納カップを押出機から取り出しやすくするための引き上げシートが凸設される。
【図面の簡単な説明】
【０００９】
下記図面の説明は、考案の上記又は他の目的、特徴、メリット、実施例をより分かりやすくするためのものである。
【図１】本考案の一実施形態による誤動作防止のための絞出式氷製品格納カップを示す外観図である。
【図２】図１に示す誤動作防止のための絞出式氷製品格納カップを底面から見るように示す分解図である。
【図３】図１に示す誤動作防止のための絞出式氷製品格納カップを示す断面概略図である。
【図４】図３に示す誤動作防止のための絞出式氷製品格納カップを正確な方向で押出機のカップ溝に置く時の押出し操作を示す概略図である。
【図５】図４に示す誤動作防止のための絞出式氷製品格納カップの内部の氷製品が絞り出されたことを示す断面概略図である。
【図６】図３に示す誤動作防止のための絞出式氷製品格納カップを誤った方向で押出機のカップ溝に置く時のことを示す概略図である。
【図７】図１に示す誤動作防止のための絞出式氷製品格納カップの密封フィルムが引き剥がされなくても、順調に押出し操作を行えることを示す概略図である。
【考案を実施するための形態】
【００１０】
本考案の前記及びその他の技術的内容、特徴及び効果について、以下の図面に併せた実施例の詳細説明において、明確に呈現することができる。
【００１１】
本考案の一実施形態による誤動作防止の絞出式氷製品格納カップの外観図、底部から見る分解図、及び断面概略図をそれぞれ示す図１〜図３を参照されたい。図面に示すように、本実用新案の一実施形態による誤動作防止のための絞出式氷製品格納カップは、カップ体１００と、密封フィルム２００と、を備える。
【００１２】
実施上、カップ体１００は、プラスチック材料を利用して中空ブロー方式で成形することができる。カップ体１００は、互いに結合される上カップ体１１０と、結合部１２０と、下カップ体１３０とを含み、上カップ体１１０の外径が下カップ体１３０の内径よりも小さい。上カップ体１１０は、互いに結合される上環形カップ壁１１１と、上面取り弧面１１２と、頂面１１３とを有し、上面取り弧面１１２に互いに対向する位置にそれぞれ設けられる凸体１１４は、絞り出し操作を行う時にカップ体１００の方向の配置を間違えることを防止することに用いられる。下カップ体１３０は、上カップ体１１０と構成が類似し、互いに結合される下環形カップ壁１３１と、下面取り弧面１３２と、絞出口１３４が開設される底面１３３とを有する。カップ体１００の内部は、絞出口１３４とつながっている格納空間１４０を有する。
【００１３】
格納空間１４０は、例えばアイスクリームのような氷製品３００、を格納することに用いられてよい。絞出口１３４は、星形、心形、矩形、円形などの幾何学的図形のいずれであってもよく、絞り出される氷製品３００の美観性と独特性を増加する。本実施形態において、絞出口１３４は、星形を例にする。
【００１４】
密封フィルム２００は、例えばプラスチックフィルムであり、下カップ体１３０の底面１３３に貼り付けられる。密封フィルム２００は、フィルム本体２１０と、フィルム本体２１０の中央部分に位置し、絞出口１３４を覆う圧力式開口ユニット２２０とを有する。
【００１５】
実施上、圧力式開口ユニット２２０は、環状に排列する複数の扇形シート２２１を有し、複数の扇形シート２２１のそれぞれは、互いに結合される１つの円弧辺２２２と２つの側辺２２３を有し、円弧辺２２２における接続部２２４と断裂可能な線分２２５でフィルム本体２１０に接続され、且つ２つの側辺２２３における断裂可能な線分２２６で隣接の扇形シートの側辺に接続される。カップ体１００が押出し圧力を受けない場合、それぞれの扇形シート２２１が結合するように構成する圧力式開口ユニット２２０は、カップ体１００の内部の格納空間１４０に格納される氷製品３００が絞出口１３４から流れ出すことを避けるように絞出口１３４を覆うことができる。但し、カップ体１００が押される時に、それぞれの円弧辺における断裂可能な線分２２５と側辺における断裂可能な線分２２６は、絞り出し圧力を受けて断裂してしまい、圧力式開口ユニット２２０が開いた状態になる。
【００１６】
図４を共に参照されたい。カップ体１００の内部の氷製品３００を絞り出したい場合、その絞出口１３４が現れるように密封フィルム２００をカップ体１００の底面１３３から引き剥がし、そして、カップ体１００をその下カップ体１３０が下に向かうように（即ち、下カップ体１３０の底面１３３及びその絞出口１３４が下に向かうように）押出機４００のカップ溝４１０に置き、カップ溝４１０の底部が絞出口１３４の位置と対応する通り穴（不図示）が設けられる。下カップ体１３０の下面取り弧面１３２は、カップ溝４１０の溝底の面取り弧面４１１とぴったり合って、カップ体１００がカップ溝４１０の内部に完全に収容されることになる。この時、押出機４００の押さえ棒（不図示）をカップ体１００の頂面１１３から底面１３３の絞出口１３４の方向に向かって押出すと、氷製品３００が絞出口１３４から形作って絞り出される。このように、押出されるため、口当たりが更になめらかで、造形が特別な氷製品の完成品を得ることができる。
【００１７】
図５を共に参照されたい。一方、カップ体１００が押出され、氷製品３００が絞り出されるようにする時に、カップ体１００の上カップ体１１０も、同時に結合部１２０を折り畳みの支点として折られて、下カップ体１３０の内部に沈み入り、そのため、氷製品が絞り出された後のカップ体の体積を大幅に縮小する。
【００１８】
上カップ体１１０の頂面１１３は、更に引き上げシート１１５が凸設され、その主な用途としては、氷製品格納カップが押出機に押しつぶされた後、該引き上げシート１１５を指で取る部分とすることができて、空いていって変形した氷製品格納カップを押出機のカップ溝から取り出しやすくする。
【００１９】
図６を共に参照されたい。上記の押出し操作の時に、使用者がうっかり誤った方向でカップ体１００を押出機４００のカップ溝４１０に置けば、即ち、使用者が誤動作でうっかりカップ体１００をその上カップ体１１０が下に向かうように（即ち、上カップ体１１０の頂面１１３が下に向かって、下カップ体１３０の絞出口１３４が上に向かうように）押出機４００のカップ溝４１０に置けば、この時、上カップ体１１０の上面取り弧面１１２に位置する凸体１１４は、カップ溝４１０の溝底における面取り弧面４１１の構成とぴったり合うことができなく、そのため、カップ体１００を浮き上がらせて、カップ溝４１０の上方から突出させることになり、押出機４００の押出し棒の押出し操作ができないようにし、従って、氷製品３００が上に向かう絞出口１３４から絞り出されて、押出機４００の内部に噴き出されることを避ける。
【００２０】
上記のように押出機４００の押出し棒の押出し操作ができない時に、使用者は、これにより、カップ体１００の上、下方向が間違って、正確な配置方向に新たに調整する必要があることが分かる。そのため、本実用新案の該凸体１１４の設置によると、カップ体１００の上、下方向の配置を間違えるという誤動作を防止することができる。
【００２１】
上記の正確な押出し操作については、カップ体１００を押す前に、その絞出口１３４が現れるように、先に密封フィルムを引き剥がさなければならない。但し、一部の使用者は、軽率に、密封フィルム２００を引き剥がないまま、カップ体１００を押出機４００のカップ溝４１０に不用意に置くことがある。この押出しの過程において、氷製品３００は、押出機４００の押出力につれて、順調に絞り出されることなく、押出機４００の押出力が、先に密封フィルムの貼合力よりも大きく蓄積した後、瞬間的に密封フィルムを破裂させ、この時、カップ体１００に格納される氷製品３００が瞬間に大量に爆発的に出され、ひいては他のところに噴き出され、氷製品３００が醜い外観になってしまい、並びに清潔にしにくい状況になってしまう。
【００２２】
本実用新案の密封フィルム２００は、このような爆発的に絞り出される現象を防止することができる。図７を共に参照されたい。カップ体１００の押出し操作が行われる時に、使用者の軽率で、密封フィルム２００が引き剥がれないまま、カップ体１００が押出機４００のカップ溝４１０に不用意に置かれるが、密封フィルム２００の圧力式開口ユニット２２０のそれぞれの扇形シート２２１に設けられる、円弧辺における断裂可能な線分２２５及び側辺における断裂可能な線分２２６の圧力に対する耐力が弱い。そのため、押出し操作が行われる時に、押出機４００は、初期に、カップ体１００及びその内部の氷製品３００に対する押出力が、円弧辺における断裂可能な線分２２５及び側辺における断裂可能な線分２２６を断裂させて、それぞれの扇形シート２２１に接続部２２４を軸部として外に開く状態を呈させることになって、カップ体１００の絞出口１３４が現れ、カップ体１００の内部の氷製品３００が、押出機の押出力につれて順調に絞り出されることができる。上記の爆発的に絞り出される現象を避ける。
【００２３】
以上をまとめると、本考案の一実施形態による誤動作防止の絞出式氷製品格納カップは、構成が簡単で、押出された後のカップ体の体積を大幅に小さくする効果がある上に、押出し操作の時に、カップ体の上、下方の配置を間違えること及び密封フィルムを引き剥がさないことなどの誤動作による不具合を防止することができる。以上に述べたことは、本考案の目的を確実に達成する。
【００２４】
本考案では、実施形態を前述の通りに開示したが、これは本考案を限定するものではなく、当業者なら誰でも、本考案の精神と領域から逸脱しない限り、多様の変更や修正を加えることができ、従って、本考案の保護範囲は、後の実用新案登録請求の範囲で指定した内容を基準とする。
【符号の説明】
【００２５】
１００  カップ体
１１０  上カップ体
１１１  上環形カップ壁
１１２  上面取り弧面
１１３  頂面
１１４  凸体
１１５  引き上げシート
１２０  結合部
１３０  下カップ体
１３１  下環形カップ壁
１３２  下面取り弧面
１３３  底面
１３４  絞出口
１４０  格納空間
２００  密封フィルム
２１０  フィルム本体
２２０  圧力式開口ユニット
２２１  扇形シート
２２２  円弧辺
２２３  側辺
２２４  接続部
２２５  円弧辺における断裂可能な線分
２２６  側辺における断裂可能な線分
３００  氷製品
４００  押出機
４１０  カップ溝
４１１  溝底の面取り弧面
【図１】
0003188860.tif 000003
【図２】
0003188860.tif 000004
【図３】
0003188860.tif 000005
【図４】
0003188860.tif 000006
【図５】
0003188860.tif 000007
【図６】
0003188860.tif 000008
【図７】
0003188860.tif 000009